(57)【要約】      （修正有）【課題】ソファへの取り外しが簡便なソファカバーを提供する。【解決手段】少なくともソファ１の背４の前面の一部を覆う背覆い部材１２と、少なくともソファ１の座３の上面の一部を覆う座覆い部材１１と、少なくともソファ１の肘掛５の内面の一部を覆うことができる肘掛覆い部材１３と、ソファ１の座３と背４との間に挿入する第１抜け止部材と、ソファ１の座３と肘掛５との間に挿入できる第２抜け止部材と、を有する。第１抜け止部材は、背覆い部材１２と座覆い部材１１の境界部の裏面から突出し、第２抜け止部材は座覆い部材１１と肘掛け覆い部材１３の境界部の裏面から突出する。【選択図】図１
0003176585.tif 000002
【実用新案登録請求の範囲】
【請求項１】
少なくともソファの背の前面の一部を覆う背覆い部材と、少なくともソファの座の上面の一部を覆う座覆い部材と、少なくともソファの肘掛の内面の一部を覆うことができる肘掛覆い部材と、ソファの座と背との間に挿入する第１抜け止部材と、ソファの座と肘掛との間に挿入できる第２抜け止部材と、を有することを特徴とするソファカバー。
【考案の詳細な説明】
【技術分野】
【０００１】
本考案は、ソファカバーに関するものである。
【背景技術】
【０００２】
従来、ソファにカバーを掛けてソファの汚れを防止することが行われている。この汚れを防止する方法として、ソファカバーでソファ全体を覆い、ソファの下部においてそのソファカバーの前端と後端とに設けた紐同士、及び、左右両側部に設けた紐同士を結ぶことにより、ソファカバーをソファに固定するものが知られている。
【考案の概要】
【考案が解決しようとする課題】
【０００３】
しかし、前記従来のソファカバーをソファに取付ける際には、ソファカバーでソファを覆った後に、ソファを倒して、ソファカバーの紐を結んで固定する必要があり、取付けに手間がかかるという問題点がある。
【０００４】
そこで、本考案は、容易にソファに固定することができるソファカバーを提供することを目的とするものである。
【課題を解決するための手段】
【０００５】
前記の課題を解決するために、請求項１記載の考案は、少なくともソファの背の前面の一部を覆う背覆い部材と、少なくともソファの座の上面の一部を覆う座覆い部材と、少なくともソファの肘掛の内面の一部を覆うことができる肘掛覆い部材と、ソファの座と背との間に挿入する第１抜け止部材と、ソファの座と肘掛との間に挿入できる第２抜け止部材と、を有することを特徴とするものである。
【考案の効果】
【０００６】
本考案によれば、第１抜け止部材をソファの座と背との間に挿入し、第２抜け止部材を座と肘掛との間に挿入することで、ソファカバーをソファに容易に固定することができ、使用時にソファカバーがずれることを防止できる。また、両抜け止部材を、夫々のソファの間から抜くだけで、ソファからソファカバーを容易に取り外すことができる。
【図面の簡単な説明】
【０００７】
【図１】本考案の実施例におけるソファカバーをソファに取付けた状態の斜視図。
【図２】図１の正面図。
【図３】図１に示すソファカバーの表面図。
【図４】図３の裏面図。
【図５】図１から肘掛と肘掛覆い部材を取り除いた状態の左側面図。
【図６】図１から座覆い部材の一部を取り除いた状態の部分拡大正面図。
【図７】ソファカバーをソファに取付ける方法を示すための斜視図。
【図８】ソファカバーをソファに取付ける方法を示すための斜視図。
【図９】本考案の実施例におけるソファカバーを肘掛のないソファに取付けた状態の斜視図。
【考案を実施するための形態】
【０００８】
本考案を実施するための形態を図に基づいて説明する。
本考案のソファカバー１は、図１，２に示すように、ソファ２に取付けて使用するカバーである。ソファ２は、図１，２に示すように、座３と、該座３の後方に設けられ、座３の上面より上方に起立する背４と、前記座３の両側部に設けられ座３の上面より上方に起立する肘掛５，５を有している。座３と背４の大きさや形状は、ソファを使用する人数等に応じて任意に設定する。
【０００９】
前記ソファカバー１は、図１〜４に示すように、１枚の座覆い部材１１と、１枚の背覆い部材１２と、２枚の肘掛覆い部材１３と、１枚の第１抜止部材１４と、２枚の第２抜止部材１５で構成されている。
【００１０】
前記座覆い部材１１は、任意の生地で構成され、ソファ２の装着時に少なくとも前記座３の上面の一部を覆うものであり、その大きさ・形状は任意に設定する。本実施例においては、座覆い部材１１は、ポリエステル１００％の布地で、図３，４に示すように、長方形状に形成され、図１，２に示すように、座覆い部材１１により、座３の上面の略全体及び前面の上端部から下部にわたって覆う大きさに形成されている。
【００１１】
前記背覆い部材１２は、任意の生地で構成され、ソファ２の装着時に少なくとも前記背４の前面の一部を覆うものであり、その大きさ・形状は任意に設定する。本実施例においては、ポリエステル１００％の生地を用い、図３，４に示すように、長方形状に形成され、その横幅は座覆い部材１１の横幅と同一に形成されるとともに、背覆い部材１２の一端部（図１の下端）は、座覆い部材１１の一端部（図１の後端）に縫接されている。この背覆い部材１２により、図１，２に示すように、背４の上面の略全体を覆うとともに、その他端が背４の後面に位置できる形状に形成されている。
【００１２】
前記肘掛覆い部材１３は、任意の生地で構成され、ソファ２の装着時に少なくとも前記肘掛５の内側面の一部を覆うものであり、その大きさ・形状は任意に設定する。本実施例においては、肘掛覆い部材１３は、ポリエステル１００％の生地を用い、図３，４に示すように、長方形状に形成され、前記座覆い部材１１の両側端から図３の横方向の外側方向に突出するように、図３の横方向において、夫々の肘掛覆い部材１３，１３の内側端部が、前記座覆い部材１１の外側端部に縫接されている。また、図１，２に示すように、肘掛５の内側面の下端から上端に掛けて覆うとともに、その一端が肘掛５の外側面に位置できる形状に形成されている。
【００１３】
第１抜止部材１４は、任意の生地で構成され、図４，５に示すように、座覆い部材１１と背覆い部材１２の境界部の裏面から突出するように設けられ、ソファ２の座３と背４の間の隙間２１に挿入できるとともに、座３と背４により挟持される厚み及び形状に形成されている。
【００１４】
第２抜止部材１５は、任意の生地で構成され、図４，６に示すように、座覆い部材１１と左右の肘掛覆い部材１３，１３の境界部の裏面から突出するように２つ設けられ、ソファ２の座３と肘掛５の間の隙間２２に挿入できる厚み及び形状に形成されている。
【００１５】
第１抜止部材１４と第２抜止部材１５の形状は、座３と背４の間若しくは座３と肘掛５の間の隙間に挿入できるとともに、座３と背４若しくは座３と肘掛５により挟持することができればよく、その形状は任意に設定する。
【００１６】
次に、ソファカバー２のソファ１への取付方法の１例について説明する。
先ず、第１抜止部材１４及び第２抜止部材１５が下方に位置するとともに、第１抜止部材１４が見えるように背覆い部材１２を前方に折り畳んだ状態で、図７に示すように、ソファカバー２の座覆い部材１１を、ソファ２の座３の上に載置する。
【００１７】
次に、第１抜止部材１４を、図７の矢印Ａに示すように、前方より座３と背４の間の隙間２１に挿入し、図５に示すように、第１抜止部材１４を座３と背４により挟持させる。そして、背覆い部材１２を、背４を覆うように配置する。
【００１８】
次に、肘掛覆い部材１３を、図８に示すように、座覆い部材１１上に載置し、第２抜止部材１５が見える状態で、図８の矢印Ｂに示すように、第２抜止部材１５を、座３と肘掛５の間の隙間２２に挿入し、第２抜止部材１５を座３と肘掛５により挟持させる。そして、肘掛覆い部材１３を、図１に示すように、肘掛５を覆うように配置する。
【００１９】
これにより、図１，２に示すように、ソファカバー２をソファ１に、簡便に取付けることができる。
【００２０】
また、ソファカバー２をソファ１から取り外す際には、第２抜止部材１５を、座３と肘掛５の間の隙間２２から引き抜き、更に、第１抜止部材１４を座３と背４の間の隙間２１から引き抜くことで、簡便に取り外すことができる。
【００２１】
なお、図９に示すように、ソファ１に肘掛５がない場合には、図９に示すように、左右の肘掛覆い部材１３を、座覆い部材１１の下面に折り畳んだ状態で、第１抜止部材１４を、座３と背４の間の隙間２１に挿入するのみで、ソファカバー２をソファ１に取付けて使用することもできる。
【符号の説明】
【００２２】
１  ソファ
２  ソファカバー
１１  座覆い部材
１２  背覆い部材
１３  肘掛覆い部材
１４  第１抜止部材
１５  第２抜止部材
【図１】
0003176585.tif 000003
【図２】
0003176585.tif 000004
【図３】
0003176585.tif 000005
【図４】
0003176585.tif 000006
【図５】
0003176585.tif 000007
【図６】
0003176585.tif 000008
【図７】
0003176585.tif 000009
【図８】
0003176585.tif 000010
【図９】
0003176585.tif 000011
【手続補正書】
【提出日】平成24年4月20日(2012.4.20)
【手続補正１】
【補正対象書類名】実用新案登録請求の範囲
【補正対象項目名】全文
【補正方法】変更
【補正の内容】
【実用新案登録請求の範囲】
【請求項１】
少なくともソファの背の前面の一部を覆う背覆い部材と、少なくともソファの座の上面の一部を覆う座覆い部材と、少なくともソファの肘掛の内面の一部を覆うことができる肘掛覆い部材と、前記背覆い部材と座覆い部材の境界部の裏面から突出するとともにソファの座と背との間に挿入し挟持される第１抜け止部材と、前座覆い部材と肘掛覆い部材の境界部の裏面から突出するとともにソファの座と肘掛との間に挿入し挟持される第２抜け止部材と、を有することを特徴とするソファカバー。
【手続補正２】
【補正対象書類名】明細書
【補正対象項目名】０００５
【補正方法】変更
【補正の内容】
【０００５】
前記の課題を解決するために、請求項１記載の考案は、少なくともソファの背の前面の一部を覆う背覆い部材と、少なくともソファの座の上面の一部を覆う座覆い部材と、少なくともソファの肘掛の内面の一部を覆うことができる肘掛覆い部材と、前記背覆い部材と座覆い部材の境界部の裏面から突出するとともにソファの座と背との間に挿入し挟持される第１抜け止部材と、前座覆い部材と肘掛覆い部材の境界部の裏面から突出するとともにソファの座と肘掛との間に挿入し挟持される第２抜け止部材と、を有することを特徴とするものである。